(57)【要約】      （修正有）【課題】シート幅を連続微調節できる秀麗なシート裁断用定規装置を提供する。【解決手段】略平行配置された長手状の上板１１と下板１４の幅方向の後縁を上下連結部１６により一体化して前方を開放したコ字形空間１９を形成する基板部１０を配置し、上板はその長手方向に穿切された長手スリット１８により幅方向前方にある前側上板１３と上下連結部側の後側上板１２に領域的に分割され、下板の前方にある下板前縁１７は前側上板の上板前縁１５と長手スリット１８の間に位置し、上板の表面に接触させた状態で長手状の調節板３０が配置され、調節板を上板に対し幅方向に連続移動可能にして固定する移動固定手段（長孔３２と摘み３６）を設け、調節板の幅方向の前方にある調節板前縁３９を上板前縁１５より前方に自在に突出させて、コ字形空間１９に内挿されたシートをスリット縁１８ｂに沿って切断手段（カッター４０）を移動させてシートを裁断する。【選択図】図１
0003210610.tif 000002
【実用新案登録請求の範囲】
【請求項１】
略平行に配置された長手状の上板と下板の幅方向の後縁を上下連結部により一体化して幅方向の前方を開放したコ字形空間を形成する基板部を配置し、前記上板はその長手方向に穿切された長手スリットにより幅方向の前方側にある前側上板と前記上下連結部側の後側上板に領域的に分割され、前記下板の幅方向前方にある下板前縁は前記前側上板の上板前縁と前記長手スリットの間に位置し、前記上板の表面に接触させた状態で長手状の調節板が配置され、前記調節板を前記上板に対し幅方向に連続移動可能にして固定する移動固定手段を設け、前記調節板の幅方向の前方にある調節板前縁を前記上板前縁より前方に自在に突出させて、前記コ字形空間に内挿されたシートを前記長手スリットのスリット縁に沿って切断手段を移動させてシートを裁断することを特徴とするシート裁断用定規装置。
【請求項２】
略平行に配置された長手状の上板と下板の幅方向の後縁を上下連結部により一体化して幅方向の前方を開放したコ字形空間を形成する基板部を配置し、前記上板はその長手方向に穿切された長手スリットにより幅方向の前方側にある前側上板と前記上下連結部側の後側上板に領域的に分割され、前記後側上板には手動で全体を動かないように固定するための把持具が取着され、前記下板の幅方向前方にある下板前縁は前記前側上板の上板前縁と前記長手スリットの間に位置し、前記前側上板の表面に接触させた状態で長手状の調節板が配置され、前記調節板を前記前側上板に対し幅方向に連続移動可能にして固定する移動固定手段を設け、前記調節板の幅方向の前方にある調節板前縁を前記上板前縁より前方に自在に突出させて、前記コ字形空間に内挿されたシートを前記長手スリットのスリット縁に沿って切断手段を移動させてシートを裁断することを特徴とするシート裁断用定規装置。
【請求項３】
略平行に配置された長手状の上板と下板の幅方向の後縁を上下連結部により一体化して幅方向の前方を開放したコ字形空間を形成する基板部を配置し、前記上板はその長手方向に穿切された長手スリットにより幅方向の前方側にある前側上板と前記上下連結部側の後側上板に領域的に分割され、前記下板の幅方向前方にある下板前縁は前記前側上板の上板前縁と前記長手スリットの間に位置し、前記前側上板の表面に接触させた状態で長手状の調節板が配置され、前記調節板を前記前側上板に対し幅方向に連続移動可能にして固定する移動固定手段を設けており、前記移動固定手段では、前記調節板又は前記前側上板のいずれか一方に幅方向に長い長孔が穿設され、他方に前記長孔を幅方向に移動させて自在な位置に軸体を挿通させ、該軸体を締め付けて前記調節板と前記前側上板を締結し、前記調節板の幅方向の前方にある調節板前縁を前記上板前縁より前方に自在に突出させて、前記コ字形空間に内挿されたシートを前記長手スリットのスリット縁に沿って切断手段を移動させてシートを裁断することを特徴とするシート裁断用定規装置。
【請求項４】
略平行に配置された長手状の上板と下板の幅方向の後縁を上下連結部により一体化して幅方向の前方を開放したコ字形空間を形成する基板部を配置し、前記上板はその長手方向に穿切された長手スリットにより幅方向の前方側にある前側上板と前記上下連結部側の後側上板に領域的に分割され、前記後側上板には手動で全体を動かないように固定するための把持具が取着され、前記下板の幅方向前方にある下板前縁は前記前側上板の上板前縁と前記長手スリットの間に位置し、前記前側上板の上面に接触させた状態で長手状の調節板が配置され、前記調節板を前記前側上板に対し幅方向に連続移動可能にして固定する移動固定手段を設けており、前記移動固定手段では、前記調節板の幅方向に長い長孔が穿設され、前記前側上板にネジを突設させ、前記長孔を幅方向に移動させて自在な位置に前記ネジを挿通させ、前記調節板から上方に突出したネジを摘みにより締め付けて前記調節板と前記前側上板を締結し、前記調節板の幅方向の前方にある調節板前縁を前記上板前縁より前方に自在に突出させて、前記コ字形空間に内挿されたシートを前記長手スリットのスリット縁に沿って切断手段を移動させてシートを裁断することを特徴とするシート裁断用定規装置。
【考案の詳細な説明】
【技術分野】
【０００１】
本発明は、建築物に使用されるシートを裁断するシート裁断用定規装置に関し、更に詳細には、例えば屋上やバルコニー等に敷設される防水シートを所定寸法に効率的に裁断可能とするシート裁断用定規装置に関する。
【背景技術】
【０００２】
従来、この種のシート裁断用定規装置としては、特許第５２１１２８８号（特許文献１）として特許権が発生しているシート裁断用定規が存在する。この従来のシート裁断用定規の構造と使用方法は本願の図９に示されている。本願考案は、この従来技術を改良したものであり、以下にこの従来技術を詳細に説明する。
【０００３】
図９に示されるように、シート裁断用定規１０１は、上板１０２と下板１０６との後端を上下連結部１０５で一体化し、その内部に幅方向の前方を開放したコ字形空間１０７が形成されている。上板１０２の前方側の端部、即ち上板前縁１２０は縦壁面１８０に当接させる直線状位置決め縁となっている。これに対し、下板１０６の前方側の端部、即ち下板前縁１０６ａは、前記上板前縁１２０よりも所定距離だけ後方に位置させている。従って、下板前縁１０６ａが縦壁面１８０に当接することはない。
【０００４】
上板１０２には、縦壁面１８０に平行になるようにスリット長の短い多数の案内スリット１０３が穿切されている。このスリット長はカッター刃Ｋが挿入できてグラつかない程度の長さでよい。逆にスリット長が長くなると、シート裁断時にカッター刃Ｋが案内スリット１０３の内部でグラつき、裁断操作が安定しなくなる。
また、上板１０２の左端縁と右端縁には端縁の全長に亘って左右把持片１０４、１０４が上方に突出するように形成されている。シート裁断時には、右手１４４でカッターを把持し、左手１４６の手指で左右把持片１０４、１０４の左右を掴み、シート裁断用定規１０１を縦壁面１８０に沿って矢印Ｃ方向に移動させると、カッター刃Ｋで自動的にシートを裁断することができる。
【０００５】
この従来のシート裁断用定規１０１によるシート裁断操作を更に詳しく説明する。まず、建築物１０８の屋上を防水シートを用いて防水する工事を考察する。屋上では、縦壁面１８０と床面１８１の夫々に、縦壁面の防水シートＳ２と床面の防水シートＳ１が貼設される。特に、縦壁面１８０と床面１８１が交差する付近では、床面の防水シートＳ１を下側に貼設し、その上に縦壁面の防水シートＳ２を重ねて貼設する。この重合部分を所定幅で確実に貼設することにより、防水性を保証できる。一定の所定幅をどのように設定するかが重要なポイントとなるのである
【０００６】
この従来装置では、縦壁面の防水シートＳ２の下端を床面１８１に重なるように折り曲げて、折曲部分である縦壁用シート折曲片Ｓ２−１をコ字形空間１０７に挿入する。下板１０６は床面の防水シートＳ１の表面に載置されている。
上板前縁１２０を縦壁面１８０に当接させて、前記所定幅を多数の案内スリット１０３の位置から選択し、選択された案内スリット１０３にカッター刃Ｋを挿入する。このとき、カッター刃Ｋの先端は縦壁用シート折曲片Ｓ２−１の上面に食い込んだ状態にあるが、カッター刃Ｋの先端は下板１０６の上面で阻止されており、床面の防水シートＳ１を傷つけることは無い。このカッター刃Ｋを食い込ませた状態で、左右把持片１０４、１０４を掴んだ左手１４６を矢印Ｂ方向に移動させると、縦壁用シート切取片Ｓ２−２が切り取られて、所定幅の縦壁用シート折曲片Ｓ２−１だけが残留する。この残留した縦壁用シート折曲片Ｓ２−１を床面の防水シートＳ１に貼設すれば目的を達成できる。
上記で所定幅とは、切り取られなかった残留幅のことであり、所定幅を残留幅と云ってもよい。これは、この従来技術でも本願発明でも同様である。
【先行技術文献】
【特許文献】
【０００７】
【特許文献１】特許第５２１１２８８号
【考案の概要】
【考案が解決しようとする課題】
【０００８】
上記従来のシート裁断用定規１０１には次のような欠点が３種存在している。第１の欠点は、残留させるべき縦壁用シート折曲片Ｓ２−１の所定幅が段階的にしか選択できず、連続的に微調整することが不可能である点である。上板１０２には、多数の案内スリット１０３が幅方向に穿設されているが、連続的に案内スリット１０３を選択することはできない。直線状位置決め縁である上板前縁１２０から選択された案内スリット１０３までの間隔が所定幅に相当する。従って、無数の案内スリット１０３を形成しない限り、所定幅を連続的に可変することは不可能である。また、案内スリット１０３の個数を増やせば、上板１０２の強度が低下することは明らかである。
【０００９】
第２の欠点は、シート裁断用定規１０１を掴んだ左手１４６を縦壁面１８０に沿って移動することにより、カッター刃Ｋで縦壁用シート折曲片Ｓ２−１を裁断するから、移動するシート裁断用定規１０１が何かに引っ掛かってグラつくと、カッター刃Ｋもグラつき、変形裁断が行われ易く、工事の商品価値が低減する事態が発生し易い。これはシート裁断用定規１０１を手で移動させながら裁断することが原因である。
【００１０】
第３の欠点は、下板１０６が床面の防水シートＳ１の表面に載置された状態でシート裁断用定規１０１を移動させるから、下板１０６が床面の防水シートＳ１の表面を常に引っ掻くことになり、床面の防水シートＳ１に傷が生じ易く、工事完成後の床面の防水シートＳ１の見栄えが悪くなる点である。これもシート裁断用定規１０１を手で移動させながら裁断することが原因である。この欠点は図９から明らかであり、この従来装置の最大の欠点ともいえる。
【００１１】
従って、本発明に係るシート裁断用定規装置は、残留させるべき縦壁用シート折曲片の所定幅を連続的に所望の値に調節でき、シートをカッター等で裁断する時にはシート裁断用定規装置を全く移動させること無く固定させて床用シートに引きずり傷を発生させず、更に長手スリットを使用することにより裁断時に長手スリットのスリット縁に沿ってカッター等の刃先を移動させる構成にして刃先のブレを無くしシートの裁断を迅速且つ秀麗に行うことを目的とする。
【課題を解決するための手段】
【００１２】
本考案は上記課題を解決するためになされたものであり、本考案の第１の形態は、略平行に配置された長手状の上板と下板の幅方向の後縁を上下連結部により一体化して幅方向の前方を開放したコ字形空間を形成する基板部を配置し、前記上板はその長手方向に穿切された長手スリットにより幅方向の前方側にある前側上板と前記上下連結部側の後側上板に領域的に分割され、前記下板の幅方向前方にある下板前縁は前記前側上板の上板前縁と前記長手スリットの間に位置し、前記上板の表面に接触させた状態で長手状の調節板が配置され、前記調節板を前記上板に対し幅方向に連続移動可能にして固定する移動固定手段を設け、前記調節板の幅方向の前方にある調節板前縁を前記上板前縁より前方に自在に突出させて、前記コ字形空間に内挿されたシートを前記長手スリットのスリット縁に沿って切断手段を移動させてシートを裁断するシート裁断用定規装置である。
【００１３】
本考案の第２の形態は、略平行に配置された長手状の上板と下板の幅方向の後縁を上下連結部により一体化して幅方向の前方を開放したコ字形空間を形成する基板部を配置し、前記上板はその長手方向に穿切された長手スリットにより幅方向の前方側にある前側上板と前記上下連結部側の後側上板に領域的に分割され、前記後側上板には手動で全体を動かないように固定するための把持具が取着され、前記下板の幅方向前方にある下板前縁は前記前側上板の上板前縁と前記長手スリットの間に位置し、前記前側上板の表面に接触させた状態で長手状の調節板が配置され、前記調節板を前記前側上板に対し幅方向に連続移動可能にして固定する移動固定手段を設け、前記調節板の幅方向の前方にある調節板前縁を前記上板前縁より前方に自在に突出させて、前記コ字形空間に内挿されたシートを前記長手スリットのスリット縁に沿って切断手段を移動させてシートを裁断するシート裁断用定規装置である。
【００１４】
本考案の第３の形態は、略平行に配置された長手状の上板と下板の幅方向の後縁を上下連結部により一体化して幅方向の前方を開放したコ字形空間を形成する基板部を配置し、前記上板はその長手方向に穿切された長手スリットにより幅方向の前方側にある前側上板と前記上下連結部側の後側上板に領域的に分割され、前記下板の幅方向前方にある下板前縁は前記前側上板の上板前縁と前記長手スリットの間に位置し、前記前側上板の表面に接触させた状態で長手状の調節板が配置され、前記調節板を前記前側上板に対し幅方向に連続移動可能にして固定する移動固定手段を設けており、前記移動固定手段では、前記調節板又は前記前側上板のいずれか一方に幅方向に長い長孔が穿設され、他方に前記長孔を幅方向に移動させて自在な位置に軸体を挿通させ、該軸体を締め付けて前記調節板と前記前側上板を締結し、前記調節板の幅方向の前方にある調節板前縁を前記上板前縁より前方に自在に突出させて、前記コ字形空間に内挿されたシートを前記長手スリットのスリット縁に沿って切断手段を移動させてシートを裁断するシート裁断用定規装置である。
【００１５】
本考案の第４の形態は、略平行に配置された長手状の上板と下板の幅方向の後縁を上下連結部により一体化して幅方向の前方を開放したコ字形空間を形成する基板部を配置し、前記上板はその長手方向に穿切された長手スリットにより幅方向の前方側にある前側上板と前記上下連結部側の後側上板に領域的に分割され、前記後側上板には手動で全体を動かないように固定するための把持具が取着され、前記下板の幅方向前方にある下板前縁は前記前側上板の上板前縁と前記長手スリットの間に位置し、前記前側上板の上面に接触させた状態で長手状の調節板が配置され、前記調節板を前記前側上板に対し幅方向に連続移動可能にして固定する移動固定手段を設けており、前記移動固定手段では、前記調節板の幅方向に長い長孔が穿設され、前記前側上板にネジを突設させ、前記長孔を幅方向に移動させて自在な位置に前記ネジを挿通させ、前記調節板から上方に突出したネジを摘みにより締め付けて前記調節板と前記前側上板を締結し、前記調節板の幅方向の前方にある調節板前縁を前記上板前縁より前方に自在に突出させて、前記コ字形空間に内挿されたシートを前記長手スリットのスリット縁に沿って切断手段を移動させてシートを裁断するシート裁断用定規装置である。
【００１６】
本考案の第５の形態は、前記第１〜第４の形態のいずれかに記載のシート裁断用定規装置を使用し、縦壁面に貼着された縦壁用シートの下端部を床面に連続するように折曲させて縦壁用シート折曲片とし、前記縦壁用シート折曲片をコ字形空間に内挿し、前記移動固定手段により調節板を前記縦壁面に向けて自在に移動させ、調節板前縁を前記縦壁面に当接させ、前記縦壁面から長手スリットのスリット縁までの距離が縦壁用シート折曲片の残留幅となるように調節板を幅方向に位置調整して前記移動固定手段により調節板を固定し、前記シート裁断用定規装置が動かないように手動で固定し、長手スリットに切断手段を挿入し、スリット縁に沿って切断手段を移動させて前記縦壁用シート折曲片を裁断し、必要に応じてシート裁断用定規装置を前記縦壁面に対し平行移動させて前記裁断を反復するシート裁断用定規装置の使用方法である。
【考案の効果】
【００１７】
本考案の第１の形態によれば、略平行に配置された長手状の上板と下板の幅方向の後縁を上下連結部により一体化して幅方向の前方を開放したコ字形空間を形成する基板部を配置して、シート裁断用定規装置が構成されている。上板と下板の両方が長手状に形成されているから、基板部自体が長手状に構成されており、シート裁断用定規装置をシートの上面に引きずってシート裁断を行うことは全く無く、床用シートを傷つけることは全くない。実際には、床用シートの上面にシート裁断用定規装置を載置して動かさずに固定した状態で、装置自体の長手方向の長さの範囲内でシート裁断を行う。必要に応じてシート裁断用定規装置を持ち上げて縦壁面に平行に空間中を移動させ、床用シート上面に再び載置固定してシート裁断を行い、これを反復して長距離のシート裁断を実施する。従って、床用シートの上面に引きずり傷が発生する余地はない。床面に本装置を直接載置する場合には、床用シートと同様に床面を傷つけることは全くない。
また、前記上板はその長手方向に穿切された長手スリットにより幅方向の前方側にある前側上板と前記上下連結部側の後側上板に領域的に分割されているから、長手スリットのスリット縁に沿ってカッター刃などの切断手段を押し当てながら引いて行くだけでシートを裁断でき、スリット縁が直線状であるからスリット縁にカッター刃を押し当てながらグラつき無く安定して裁断できる利点がある。繰り返すが、本考案の特徴は、シート裁断時にシート裁断用定規装置を床用シートの上面に固定して動かさない、ということである。これによって、床用シートや床面を傷つけず、しかもグラつき無く安定して裁断することが可能になった。従って、秀麗なシート裁断を実現できる。
更に、前記下板の幅方向前方にある下板前縁は前記前側上板の上板前縁と前記長手スリットの間に位置しているから、下板が長手スリットの下側に必ず存在し、シートをカッター刃などで押し切っても、カッター刃などは下板の上面に当接し、且つ床用シートは下板の下面側に存在するから、床用シートがカッター刃などで傷つくことは無い。仮に、床用シートが無い場合には、下板が床面の上に存在し、床面がカッター刃などで傷つくこともあり得ない、
また更に、前記上板の表面に接触させた状態で長手状の調節板が配置され、前記調節板を前記上板に対し幅方向に連続移動可能にして固定する移動固定手段を設け、前記調節板の幅方向の前方にある調節板前縁を前記上板前縁より前方に自在に突出させる構成を有する。つまり、調節板前縁を縦壁面に対し突出して当接させるように突出調節を行うことができ、突出長、即ち突出距離も自在に連続的に微調節できる。上記移動固定手段とは調節板を前後に移動でき且つ移動後に移動しないように固定する機能を有した手段の意味である。換言すれば、調節板前縁が当接する縦壁面とカッター刃が位置する長手スリット縁との間隔がシートとして残留する幅を与え、本装置はこの残留幅を連続的に可変微調節することができる。従って、この可変調節できる間隔がシートの残留幅であり、残留させるべき縦壁用シート折曲片の所定幅になる。また、本装置を用いれば、一般のシートの裁断でも残留させるべきシートの所定幅を連続的に可変調節して裁断できる利点がある。
特に、前記コ字形空間に内挿されたシートを前記長手スリットのスリット縁に沿って切断手段を移動させてシートを裁断するから、シート裁断用定規装置を動かさずに固定した状態のままスリット縁に沿って刃先だけを移動させるから刃先のブレがなく秀麗な裁断を実現でき、スリット縁の全長に亘ってシートを裁断できる。この間、シート裁断用定規装置は不動状態で固定されているから、シート上面の引きずり傷は全く生じず、全体的に秀麗な裁断を実現できる利点がある。
また、長手スリットは一本に限られず、複数本の長手スリットを穿切してもよく、どの長手スリットのスリット縁に切断手段を挿入するかで、シートの残留幅の調節を更に大きく可変調節することができる。
また更に、調節板は一段だけでなく、更にその上に調節板を１段以上積層することにより、シートの残留幅の調節を一層に大きく可変調節することも可能になる。
【００１８】
以下の第２形態〜第５形態では、上述した第１形態の構成要件を全て包含しており、第１形態で述べた上述の考案の効果も全て発現することは明らかである。従って、第１形態で既に述べた考案の効果の再度の主張は省略する。以下では、第１形態で述べなかった考案の効果についてだけ記載する。
【００１９】
本考案の第２の形態によれば、後側上板には手動で全体を動かないように固定するための把持具が取着されている。シート裁断時に把持具を手で把握して装置全体を押圧すれば、装置のグラツキが完全に解消できる。また、把持具を手指で把握した状態でシート裁断用定規装置の持ち上げや再度の配置を行えば、シート裁断用定規装置の耐久性の向上に貢献でき、またシート裁断用定規装置の持上げと再配置によるシート裁断長の長大化を実現することも可能である。把持具の個数は、１個以上であればよく、相互に離間した位置に２個以上配置して、シート裁断用定規装置を把持しやすくできる。
【００２０】
本考案の第３の形態によれば、移動固定手段として、調節板又は前側上板のいずれか一方に幅方向に長い長孔が穿設され、他方に前記長孔を幅方向に移動させて自在な位置に軸体を挿通させ、該軸体を締め付けて前記調節板と前記前側上板を締結する機構が使用できる。長孔の個数は１個以上であればよく、相互に離間して２個以上の長孔を設け、長孔毎に軸体を挿通して、前記調節板と前記前側上板の締結を強固にして、調節板前縁の全長を縦壁面に安定して押し当てることにより、シートの裁断を縦壁面に平行に行うことができ、秀麗なシート裁断を実現できる。
根本的には、調節板前縁を前側上板の上板前縁より前方に突出させ、しかもこの突出長を可変できれる構成であれば良い分けである。調節板又は前側上板のいずれか一方に幅方向に長い長孔が穿設すれば、長孔の長さの範囲内で突出長を可変することが可能になる。挿通させる軸体はネジやボルトなどのようにネジ溝を切っていてもよいが、ネジ溝を切っていなくても構わない。いずれにしても、軸体を締め付けて前記調節板と前記前側上板を締結する機構があればよい。
【００２１】
本考案の第４の形態によれば、前記後側上板には手動で全体を動かないように固定するための把持具が取着されている。従って、シート裁断時に把持具を手で把握して装置全体を押圧すれば、装置のグラツキが完全に解消できる。また、把持具を手指で把握した状態でシート裁断用定規装置の持ち上げや再度の配置を行えば、シート裁断用定規装置の耐久性の向上に貢献でき、またシート裁断用定規装置の持上げと再配置によるシート裁断長の長大化を実現することもできる。
また、移動固定手段として、前記調節板の幅方向に長い長孔が穿設され、前記前側上板にネジを突設させ、前記長孔を幅方向に移動させて自在な位置に前記ネジを挿通させ、前記調節板から上方に突出したネジを摘みにより締め付けて前記調節板と前記前側上板を締結することができる。即ち、長孔の長さだけ調節板を前後に連続的に可変することができ、しかもネジを挿通して摘みを回転すれば前記調節板と前記前側上板を締結することができる利点がある。
長孔の個数は１個以上であればよく、相互に離間して２個以上の長孔を設け、長孔毎にネジを挿通して、前記調節板と前記前側上板の締結を強固にして、調節板前縁の全長を縦壁面に安定して押し当てることにより、シートの裁断を縦壁面に平行に行うことができ、これにより秀麗なシート裁断を実現できることは云うまでもない。
【００２２】
本考案の第５の形態によれば、前記第１〜第４の形態のいずれかに記載のシート裁断用定規装置を使用するから、第1形態〜第４形態で主張した考案の効果を全て発現することができる。
また、縦壁面に貼着された縦壁用シートの下端部を床面に連続するように折曲させて縦壁用シート折曲片とし、前記縦壁用シート折曲片をコ字形空間に内挿し、前記移動固定手段により調節板を前記縦壁面に向けて自在に移動させるだけで、残留させるべきシート片
の幅を自在に連続的に可変調節することができる。
更に、調節板前縁を前記縦壁面に当接させ、前記縦壁面から長手スリットのスリット縁までの距離が縦壁用シート折曲片の残留幅となるように調節板を幅方向に位置調整して前記移動固定手段により調節板を固定すれば、縦壁面からスリット縁までの間隔、即ち残留させるべきシート片の幅を自在に連続可変調節できる分けである。
また更に、前記シート裁断用定規装置が動かないように手動で固定すれば、裁断中に装置全体がグラつくことがなく、円滑に秀麗な裁断を実行できる。
特に本考案では、長手スリットに切断手段を挿入し、スリット縁に沿って切断手段を移動させて前記縦壁用シート折曲片を裁断するから、スリット縁によって切断手段の振れが規制され、裁断が円滑且つ秀麗に行える。
また特に、必要に応じてシート裁断用定規装置を前記縦壁面に対し平行移動させて前記裁断を反復するとシートの裁断長を幾らでも長くできる。反復しない場合には、裁断長は長手スリットの全長までであり、ｎ回反復する場合には、長手スリットの全長のｎ倍まで裁断可能になる。
【図面の簡単な説明】
【００２３】
【図１】図１は、本考案に係るシート裁断用定規装置の全体構成と使用状態の説明図である。
【図２】図２は、本考案に係るシート裁断用定規装置の組立分解図である。
【図３】図３は、本考案に係るシート裁断用定規装置の調節板を中間位置に調節した斜視図である。
【図４】図４は、図３のＣ−Ｃ線切断端面図である。
【図５】図５は、本考案に係るシート裁断用定規装置を中間位置にした中間裁断断面図である。
【図６】図６は、本考案に係るシート裁断用定規装置の調節板を最大位置に調節した斜視図である。
【図７】図７は、図６のＣ−Ｃ線切断端面図である。
【図８】図８は、本考案に係るシート裁断用定規装置を最大位置にした最大裁断断面図である。
【図９】図９は、特許第５２１１２８８号（特許文献１）に記載された従来のシート裁断用定規の使用状態図である。
【考案を実施するための形態】
【００２４】
以下に、本考案に係るシート裁断用定規装置及びその使用方法を添付する図面に従って詳細に説明する。
【００２５】
図１は、本考案に係るシート裁断用定規装置１の全体構成と使用状態の説明図である。
図１に示されるシート裁断用定規装置１では、略平行に配置された長手状の上板１１と下板１４が所定間隔だけ上下に離間して配置され、両板１１、１４の幅方向の後縁を上下連結部１６により一体化して幅方向の前方を開放したコ字形空間１９が形成された基板部１０が配置されている。
前記上板１１には、その長手方向に長手スリット１８がスリット幅ＳＷの寸法で穿切されており、前記上板１１は、この長手スリット１８により幅方向の前方側にある前側上板１３と前記上下連結部１６側の後側上板１２に領域的に分割されている。
前記下板１４の幅方向前方にある下板前縁１７は前記前側上板１３の上板前縁１５と前記長手スリット１８の間に位置している。詳しく述べると、長手スリット１８はスリット幅ＳＷを有しているから、左右併せて２本のスリット縁１８ｂ、１８ｂが存在し、前記下板前縁１７は前方側（壁面側）のスリット縁１８ｂより前方側に位置している。
【００２６】
長手状の前記調節板３０は上板１１の表面に接触させた状態でが配置されており、前記
調節板３０を前記上板１１に対し幅方向に連続移動可能にして固定する移動固定手段が設けられている。
この移動固定手段の具体例が図１に示されている。即ち、前記調節板３０の幅方向に長い長孔３２が３個穿設され、前記前側上板１３に後述するネジ３７が突設され、調節板３０を動かすことにより前記長孔３２を幅方向に移動させて自在な位置に前記ネジ３７を挿通させ、前記調節板３０から上方に突出したネジ３７を摘み３６により締め付けて前記調節板３０と前記前側上板１３を締結する。即ち、長孔の孔長ＨＬだけ調節板３０を前後に連続的に可変することができ、しかもネジ３７を挿通して摘み３６を回転すれば前記調節板３０と前記前側上板１３を簡単に締結することができる。
前記調節板３０の幅方向の前方にある調節板前縁３９を前記上板前縁１５より前方に自在に突出させ、しかも調節板前縁３９を上板前縁１５に平行に調整すれば、長手スリット１８は縦壁面５７に対し平行になる。この状態で、前記コ字形空間１９にシートを内挿さし、前記長手スリット１８のスリット縁１８ｂに切断手段の一つとしてカッター４０のカッター刃４２を挿入し、前記シートに食い込ませながら、カッター刃４２をスリット縁１８ｂに沿ってスリット端１８ａから逆側のスリット端１８ａまで移動させると、シートを秀麗に裁断できる。
【００２７】
図中、上板１１の横幅は上板幅ＵＷで、下板１４の横幅は下板幅ＤＷである。また、スリット１８の横幅はスリット幅ＳＷで、スリット１８から上下連結部１６の間隔はスリット距離ＳＤである。
まず、ＳＤ＜ＤＷ≦ＵＤの条件が整理るしている。下端前縁１５は上板前縁１５と前方側のスリット縁１８ｂの間に位置しており、カッター刃４２を長手スリット１８に挿入したときに、下板１４でカッター刃４２を受け止めるための条件である。
また、長孔３２の長さは孔長ＨＬで示されており、調節板３０の前後方向の調節範囲３４は孔長ＨＬの範囲内である。この範囲内であれば、調節板前縁３９を上板前縁１５より前方側に突出させることができる。勿論、調節板３０を複数段積層して、各段毎の調節板を前後に調節可能にすれば、複数段全体での調節範囲３４は更に拡大することができる。
スリット幅ＳＷはカッター刃４２等の切断手段が挿入できる寸法であればよく、カッター刃４２等を矢印Ａ方向にグラつくことなく安定して引いて行ける寸法であればよい。また、左右のスリット縁１８ｂ、１８ｂのいずれもカッター刃４２を押し当てて引くことができる。
【００２８】
図１のシートの配置について説明する。図１は屋上の例を示しており、縦壁５５の縦壁面５７には縦壁用シート５９が貼設されており、同様に床壁５０の床面５２には床用シート５４が貼設されている。縦壁用シート５９は床面５２に到達した後は折り曲げられ、縦壁用シート折曲片５９ｂが床用シート５４の上に延出している。
摘み３６を緩めて調節板３０を前方側（即ち、縦壁面５７側）へ移動させ、孔長ＨＬの約半分の中間位置で摘み３６を締結して調節板３０を前側上板１３に対し締め付けて固定する。このとき、前側上板１３の上板前縁１５と調節板前縁３９とは平行に配置固定されている。
また、１個以上の把持部２０が後側上板１２の上面に固定部２４を接合して固定されており、手指は取手部２２を持ってシート裁断用定規装置１の固定や移動を行う。
【００２９】
今、縦壁用シート折曲片５９ｂをコ字形空間１９に内挿してシート裁断用定規装置１を床用シート５４に載置し、調節板前縁３９を縦壁面５７に当接させる。この状態では、スリット縁１８ｂは縦壁面５７に平行になっている。
縦壁用シート折曲片５９ｂのうち床用シート５４との重合長は残留幅Ｗであるとする。この残留幅Ｗは縦壁面５７から幅方向前方側のスリット縁１８ｂまでの間隔である。この状態で、カッター４０のカッター刃４２を長手スリット１８に挿入し、カッター刃４２を前記スリット縁１８ｂに押し付けながら縦壁用シート折曲片５９ｂに食い込ませる。そし
て、カッター刃４２をスリット縁１８ｂに沿ってスリット端１８ａからもう一つのスリット端１８ａまで右手４４で矢印Ａ方向に引いて行く。その結果、縦壁用シート折曲片５９ｂは残留幅Ｗだけ残して、残りの部分が縦壁用シート切取片５９ａとして裁断される。この間裁断中、把持部２０の左手４６はシート裁断用定規装置１を床面５２に押し付け、シート裁断用定規装置１は完全に固定状態にある。
【００３０】
更に、裁断長を長くしたい場合には、左手４６で把持部２０を握り、シート裁断用定規装置１を上方に引き上げて空間中を移動し、再びシート裁断用定規装置１を床面５２の上面に載置して縦壁面５７に押し付け、上述した裁断線に連続して裁断を行えばよい。このようにすれば、かなり長い距離に亘って裁断を効率的に行うことができる。
裁断中にカッター刃４２は下板１４の上面に当接するから、縦壁用シート折曲片５９ｂだけを裁断して床用シート５４は無傷のままである。また、裁断中にシート裁断用定規装置１は固定であるから、床用シート５４の上面に傷がつくことは無い。しかも、カッター刃４２はスリット縁１８ｂに沿うから、カッター刃４２がグラつくことは無く、カッター刃４２の走行は直線であるから、裁断は迅速かつ秀麗に行える利点がある。
【００３１】
図２は、本考案に係るシート裁断用定規装置１の組立分解図である。
摘み３６にはネジ孔３６ａが開孔されており、上板１１の前側上板１３にはネジ３７が対応位置に突設されている。調節板３０を前後に移動調節して適当な位置を決め、このネジ３７を長孔３２に挿通させ、摘み３６のネジ孔３６ａに締結すると、調節板３０が前側上板１３に固定できる。また、摘み３６を緩めると固定が解除される。従って、調節板３０の突出調節が連続的且つ微細に行える利点がある。
【００３２】
図３は、本考案に係るシート裁断用定規装置１の調節板３０を長孔３２の中間位置に調節した斜視図である。
調節板３０の前後方向への調節範囲３４は長孔３２の孔長ＨＬの長さの範囲である。図３では、長孔３２の中間位置に調節したシート裁断用定規装置１の外形が図示されている。従って、上板前縁１５からの調節板前縁３９の突出長も中程度になり、裁断後の縦壁用シート折曲片５９ｂの残留幅Ｗも中程度の幅を与えることになる。
【００３３】
図４は、図３のＣ−Ｃ線切断端面図である。
上板１１が長手スリット１８を境界にして、前側上板１３と後側上板１２に分割されているのがよく分かる。長手スリット１８は左右にスリット縁１８ｂを有しているから、どちらのスリット縁１８ｂを使用するかで調節板３９の調節範囲３４は変化する。スリット幅１８ｂをカッター刃４２の厚み程度にしておけば、カッター刃４２が左右のスリット幅１８ｂ、１８ｂにほぼ狭着された状態になり、カッター刃４２のグラつきが無くなる。
前側上板１３にはネジ頭３８を固着してネジ３７を上方に向けて不動状態に突設している。摘み３６にはネジ孔３６ａが穿設されている。従って、摘み３６を逆向きに回動させて締め付けを緩め、調節板３０を前後移動させて、再び摘み３６を回動して締結すれば、調節板３０をほぼ中間位置に調整できる。
【００３４】
図５は、本考案に係るシート裁断用定規装置１を中間位置に調節した状態での中間裁断断面図である。
床面５２には床用シート５４が縦壁面５７に当接するまでピッタリと貼設されており、縦壁面５７に貼設された縦壁用シート５９は床面５２の位置で折り曲げられ、が床用シート５４の上面に載置されている。
下板１４は床用シート５４の上面に載置され、縦壁用シート折曲片５９ｂはコ字形空間１９の中に内挿されている。調節板前縁３９は縦壁面５７に当接するように押し当てられて摘み３６で締結されている。
この状態で、カッター刃４２を長手スリット１８に挿入し、縦壁用シート折曲片５９ｂ
を押し切り、そのままカッター刃４２をスリット縁１８ｂに押し当てて引いて行くと、図のように縦壁用シート折曲片５９ｂから縦壁用シート切取片５９ａが切り取られて分離し、縦壁用シート折曲片５９ｂが残留幅Ｗだけ残されることになる。従って、この残留幅の縦壁用シート折曲片５９ｂを床用シート５４の上面に接着すれば、工事は完了する。
１回の裁断で不足の場合には、手指で把持部２０を持ち上げて空間を移動させ、再び別の場所に本装置を載置して、先程の裁断位置に続いて連続して裁断を継続し、必要回数だけ反復すれば、長いシート裁断にも対応することができる。
本装置１を用いれば、調節板３０を連続的に前後に移動調節して固定できるから、シートの残留幅Ｗを連続的に微量調節できる。また、本装置１を床用シート５４の上面で引きずって裁断しないから、床用シート５４の上面に傷が生じない。更に、スリット縁１８ｂにカッター刃４２を押し付けながらスリット縁１８ｂの沿ってカッター刃４２を引いて裁断を行うから、カッター刃４２がグラつかず、秀麗な裁断を実現できる。
【００３５】
図６は、本考案に係るシート裁断用定規装置１の調節板３０を長孔３２の最大位置に調節した斜視図である。
前述したように、調節板３０の前後方向への調節範囲３４は長孔３２の孔長ＨＬの長さの範囲であり、本図では調節板３０を最前位置、即ち最大位置にまで突出配置している。従って、摘み３６は長孔３２の後端に位置していることが分かる。図６では、長孔３２の最大位置に調節したシート裁断用定規装置１の外形が図示されている。つまり、上板前縁１５からの調節板前縁３９の突出長は最大に達しており、裁断後の縦壁用シート折曲片５９ｂの残留幅Ｗも最大幅を与えることになる。
【００３６】
図７は、図６のＣ−Ｃ線切断端面図である。
前述したように、上板１１は、長手スリット１８を境界として、前側上板１３と後側上板１２に分割されており、調節板３０は前側上板１３上に配置され、図示していないが把持部２０は後側上板１２上に配置されている。図４と同一の構成の説明は省略する。
また、前述したように、前側上板１３にはネジ３７が上方に向けて固着され、不動状態で突設されている。調節板３０を最大状態に突出させるためには、摘み３６を逆向きに回動させて締め付けを緩め、調節板３０を前後移動させて、長孔３２の再後端位置に摘み３６を移動させて、摘み３６を回動して締結すれば、調節板３０を最大突出状態に調整できる。
【００３７】
図８は、本考案に係るシート裁断用定規装置１を最大位置に調節した状態での最大裁断断面図である。
図５と同様に、床面５２には床用シート５４が縦壁面５７に当接するまでピッタリと貼設されている。縦壁面５７に貼設された縦壁用シート５９は床面５２まで到達した後、その位置で折り曲げられ、床用シート５４の上面に載置された状態にある。
図５と同様に、下板１４は床用シート５４の上面に載置され、縦壁用シート折曲片５９ｂはコ字形空間１９の中に内挿されている。調節板前縁３９は縦壁面５７に当接するように押し当てられて摘み３６で締結されている。
同様に、この状態で、カッター刃４２を長手スリット１８に挿入し、縦壁用シート折曲片５９ｂを押し切り、そのままカッター刃４２をスリット縁１８ｂに押し当てて引いて行くと、図のように縦壁用シート折曲片５９ｂから縦壁用シート切取片５９ａが切り取られて分離し、縦壁用シート折曲片５９ｂが残留幅Ｗだけ残されることになる。従って、この残留幅Ｗの縦壁用シート折曲片５９ｂを床用シート５４の上面に接着すれば、工事は完了する。
【００３８】
１回でシート裁断を完了できない場合には、把持部２０を持ち上げて空間を移動させ、縦壁面５７に沿った別の場所に本装置を載置して、先程の裁断終了位置に続いて連続して裁断を継続し、必要回数だけ反復すれば、短いシートから長いシートまでの裁断を本装置
一台で実現することができる。
また、本装置１を用いた技術的効果として、調節板３０を連続的に前後に移動調節して固定できるから、シートの残留幅Ｗを連続的に微量調節できる。また、本装置１を床用シート５４の上面で引きずって裁断しないから、床用シート５４の上面に全く傷が生じない。更に、スリット縁１８ｂにカッター刃４２を押し付けながらスリット縁１８ｂに沿ってカッター刃４２を引いて裁断を行うから、カッター刃４２がグラつかず、秀麗な裁断を迅速に実現できる。
【産業上の利用可能性】
【００３９】
本考案に係るシート裁断用定規装置は、直接的には建築物に使用されるシートを裁断するシート裁断用定規装置であり、具体的には、例えば建築物の屋上やバルコニー等を防水化するために敷設される防水シートを所定寸法に効率的に裁断可能とするシート裁断用定規装置である。
また、本考案に係るシート裁断用定規装置を利用し関連する産業上の分野は、防水シート用の裁断用工具類を製造・提供する分野だけでなく、その輸送・保管・組立及び設置のための設備・器具の提供・販売する分野、各種材料等を提供する分野、制御関連機器の分野、各種計測器の分野、当該設備・器具を動かす動力機械の分野、電気・オイルの分野などの一般産業機械分野、試験・研究・展示・販売・輸出入の分野、設備・器具類の運転に伴うゴミ屑の回収・運搬等の分野、その他多種多様な技術分野が存在する。
【符号の説明】
【００４０】
１            シート裁断用定規装置
１０          基板部
１１          上板
１２          上板
１３          前側上板
１４          下板
１５          上板前縁
１６          上下連結部
１７          下板前縁
１８          長手スリット
１８ａ        スリット端
１８ｂ        スリット縁
１９          コ字形空間
２０          把持部
２２          取手部
２４          固定部
３０          調節板
３２          長孔
３４          調節範囲
３６          摘み
３６ａ        ネジ孔
３７          ネジ
３８          ネジ頭
３９          調節板前縁
４０          カッター
４２          カッター刃
４４          右手
４６          左手
５０          床壁
５２          床面
５４          床用シート
５５          縦壁
５７          縦壁面
５９          縦壁用シート
５９ａ        縦壁用シート切取片
５９ｂ        縦壁用シート折曲片
ＤＷ          下板幅
ＨＬ          孔長
ＳＤ          スリット距離
ＳＷ          スリット幅
ＵＷ          上板幅
Ｗ            残留幅（所定幅）
１０１        シート裁断用定規
１０２        上板
１０３        案内スリット
１０４        左右把持片
１０５        上下連結部
１０６        下板
１０６ａ      下板前縁
１０７        コ字形空間
１０８        建築物
１２０        上板前縁（直線状位置決め縁）
１４４        右手
１４６        左手
１８０        縦壁面
１８１        床面
Ｋ            カッター刃
Ｓ１          床面の防水シート
Ｓ２          縦壁面の防水シート
Ｓ２−１      縦壁用シート折曲片
Ｓ２−２      縦壁用シート切取片
【図１】
0003210610.tif 000003
【図２】
0003210610.tif 000004
【図３】
0003210610.tif 000005
【図４】
0003210610.tif 000006
【図５】
0003210610.tif 000007
【図６】
0003210610.tif 000008
【図７】
0003210610.tif 000009
【図８】
0003210610.tif 000010
【図９】
0003210610.tif 000011